(57)【特許請求の範囲】
【請求項１】
回転軸に撹拌用としてパドル形状の翼を、送り用としてスクリュー形状の翼を装備して、投入する余剰生コンや泥状土と高分子団粒化剤を、攪拌し、排出する団粒化装置であり、装置のケーシングであるＵ字トラフを、ゴム製ケーシングの厚さは９mm以上で、ケーシング材として使用するゴムは天然ゴムが５０％の以上であり、ＪＩＳ  Ｋ  ６２５３におけるゴム硬度Ａ５０以下、旧ＪＩＳ  Ｋ６３０１におけるゴム硬度５０Ｈｓ以下である、ゴム製とし、また、回転軸は毎分１００ｒｐｍ以上で回転させる撹拌装置に、
ホッパーを有し、スクリューによる余剰生コンや泥状土の定量供給装置を付設し、
さらに、団粒化剤タンクから配管によりポンプを介して事前にエマルジョン化させた高分子団粒化剤を添加する団粒化剤量の可変添加可能な団粒化剤添加装置を付設した
ことを特徴とした連続式団粒化撹拌装置。
【請求項２】
回転軸はパドル形状の翼とスクリュー形状の翼を含めてゴム製ケーシングの底部に位置させ、Ｕ字トラフは回転軸上方に空間を有する請求項１記載の連続式団粒化撹拌装置。
【請求項３】
助材添加フィーダーを付設する請求項１または請求項２に記載の連続式団粒化撹拌装置。
【発明の詳細な説明】
【技術分野】
【０００１】
本発明は、余剰生コンや浚渫土等の泥状土の連続式団粒化撹拌装置に関するものである。
【背景技術】
【０００２】
余剰生コンとは、工事現場やコンクリート製品工場等において、余った生コンや不要になった生コンである。
【０００３】
現状の余剰生コンの処理方法では、そのまま汚泥として処理をする方法、硬化させてコンクリートくずとして処理する方法、生コン工場内の水処理設備と分級設備（希釈・水洗・篩分け設備）および減容化設備（プレス処理）が実施されている。
【０００４】
こうした産廃処理コストや処理設備規模およびコストは、生コン事業者の経営上の圧迫要因になっている。産廃の処理方法においても、その法的な判定は難しく、グレーゾーンであると指摘されるケースもある。
【０００５】
また、現状の再生骨材の一般的な製造方法は、硬化コンクリートを破砕して水洗い、分級等の工程を経て製造される。さらに、この破砕においては大きなエネルギー量が必要になる。
【０００６】
従来から実施されている余剰生コンの処理方法である汚泥としての産廃処理、コンクリートくずとしての廃棄、生コン工場内での水処理・産廃物減容化処理以外の技術として、下記特許文献１に示される薬剤の使用している例では生コン車搭載のアジテータに水溶性の袋に詰められた顆粒状の当該薬剤を添加し撹拌混合して、余剰生コンの物性を流動状から塑性状に変化させている。
【特許文献１】特許第５８１３１３１号公報
【０００７】
この特許文献１では、混合プロセスについての請求項は記載されていないが、明細書の段落番号００１９に記述されている他の混合デイバイスという表現は、一般にはバッチ式コンクリトートミキサーに代表されるものと考えられる。
【０００８】
また、下記特許文献２では、吸水性高分子体の混合物層に被膜した造粒体である残コン処理体にすることができる粉末状の残コン処理剤を水溶性の包装体（水溶性袋）をもちいる手法で、生コン車搭載のアジテータに投入して使用することが記述されている。
【特許文献２】実用新案登録第３１４７８３２号公報
【０００９】
このように、一般には生コン工場や工事現場では余剰生コンを再混練する場合や混和剤を含め薬剤等を後添加して混合する場合は、生コンを目的地まで分離させずに撹拌して運搬することを目的にした生コン車搭載の回転数２０ｒｐｍ以下のアジテータを利用することが多い。
【発明の概要】
【発明が解決しようとする課題】
【００１０】
前記特許文献１や特許文献２に示す余剰生コンの団粒化処理はアジテータ車を利用することを原則とするものであるが、次のような問題がある。
【００１１】
余剰生コンは使い残しにより出荷時に比べて容積が少なくなっているので、図１９に示すように生コン搭載のアジテータの内部の余剰生コンの表面の位置は、出荷時の位置より下にある。余剰生コンをアジテータ内に投入して撹拌する場合、アジテータを回転させる。
【００１２】
しかし、スパイラル状の翼をドラムの側壁に部分的に取り付けた状態となっているため、流動化している生コンの場合は図２０Ａに示すようにその表面の位置をキープしたままでアジテータが撹拌される。
【００１３】
そして団粒化剤が添加されることで、余剰生コンが団粒化剤に触れた部分を中心に流動性が失われ粘着力が増大するため、図２０Ｂに示すようにドラム側壁に付着したまま回転されることがある。
【００１４】
これは、ドラムの回転数によっても異なるが、一般的にコンクリート混和剤を後添加した際のドラム回転数は１０min-1〜１８min-1程度、遠心力が働く状態になる。
【００１５】
また、ドラム側面はスチール製であり、生コンの骨材との撹拌等で無数に細かい傷があり表面積を大きくしているので、団粒化物が付着しやすい環境になっている。
【００１６】
かかる付着物は固結してブロックを形成することがあり、ドラム側壁等に付着して、その固結物の排出及び廃棄するのに努力を要し、時間の浪費と追加コストを伴う。
【００１７】
本発明の目的は前記従来例の不都合を解消し、即時に流動化から塑性状態に変化させて、その処理物のハンドリングを改善するための手法として、アジテータ搭載の生コン車を利用する方法ではなく、流動化している余剰生コンを運搬している生コン車搭載のアジテータから、排出させつつ即時に塑性状態に変化させるための凝集作用の優れた薬剤を添加して、塑性化させつつ、撹拌過程で空気を巻き込ませて団粒化させ、団粒化することで、生コン中にある骨材が分離しやすくなる連続式団粒化撹拌装置を提供することにある。
【課題を解決するための手段】
【００１８】
前記目的を達成するため請求項１記載の本発明は、回転軸に撹拌用としてパドル形状の翼を、送り用としてスクリュー形状の翼を装備して、投入する余剰生コンや泥状土と高分子団粒化剤を、攪拌し、排出する団粒化装置であり、装置のケーシングであるＵ字トラフを、ゴム製ケーシングの厚さは９mm以上で、ケーシング材として使用するゴムは天然ゴムが５０％の以上であり、ＪＩＳ  Ｋ  ６２５３におけるゴム硬度Ａ５０以下、旧ＪＩＳ  Ｋ６３０１におけるゴム硬度５０Ｈｓ以下である、ゴム製とし、また、回転軸は毎分１００ｒｐｍ以上で回転させる撹拌装置に、ホッパーを有し、スクリューによる余剰生コンや泥状土の定量供給装置を付設し、さらに、団粒化剤タンクから配管によりポンプを介して事前にエマルジョン化させた高分子団粒化剤を添加する団粒化剤量の可変添加可能な団粒化剤添加装置を付設したことを要旨とするものである。
【００１９】
請求項１記載の本発明によれば、バッチ式ではなく、余剰生コンの供給量を安定化させ、連続的に供給し、この供給量と余剰生コンの性状に見合う団粒化剤を連続添加・連続撹拌することで連続的な排出が可能になるため、作業性の効率が図られる。
【００２０】
また、生コン車搭載のアジテータ内で流動化している余剰生コンを団粒化するのにアジテータで攪拌せずに、排出後に撹拌装置にかけることでアジテータ車を利用することのトラブルを回避でき、しかも、システム化により流動化している余剰生コンを容易に移動、移送、解す、積込みが可能様になり、分級機能を有する設備と接続することで、通常、硬化後に実施する破砕・分級する作業を短縮できるだけでなく、硬化前の連続作業なので破砕設備は不要になる。また、アニオン性のポリアクリルアミド系高分子化合物を使用する場合、イオン性が強いものでも団粒化が実現できる。この団粒化物は間隙が大きいので硬化後に分級作業を行う場合でも、硬化コンクリートを破砕するエネルギー量より小さくなる。
【００２１】
そして、これまで実施してきた骨材分級工程や作業性を改善することができ、また、生コン工場では余剰生コンを対象にした水処理設備等の小規模化等に寄与できる。
【００２２】
さらに、ケーシングが鋼製であると撹拌中に異物が混入した場合においては撹拌時の負荷が大きくなり、撹拌装置自体の故障、破壊の要因になり、また、骨材径を配慮してケーシングと回転部のクリアランスに余裕を持たせた場合を想定しても、撹拌層内に排出が出来ない団粒化物が蓄積してしまうため、余剰生コンの団粒化には適していないが、本発明によれば、ゴムケーシングにより伸び代が確保でき、ケーシング内の付着や異物等の対応が緩和できる。
【００２３】
また、通常の場合、余剰生コンは現場から生コン車で持ち帰るので、そのままでは安定化供給することは困難であるが、定量供給装置を付設することで生コン車搭載のアジテータからの搬出量を予め設定した単位供給量見合う搬送速度で供給することができる。
【００２４】
アジテータから直接投入しない場合、タンクまたはピットからポンプで供給する場合やショベル等によって供給する場合も同様であり、予め設定した余剰生コンの単位供給量見合う搬送速度で安定供給することができる。
【００２５】
さらに、エマルジョン加工した団粒化剤をポンプで可変速可能にして添加することができる。
【００２６】
また、本発明は、ゴムケーシングの厚さは９mm以上で、ケーシング材として使用するゴムは天然ゴム比率が５０％以上であり、ＪＩＳ  Ｋ  ６２５３におけるゴム硬度Ａ５０以下、旧ＪＩＳ  Ｋ６３０１におけるゴム硬度５０Ｈｓ以下であることを要旨とするものである。ゴム硬度の値は小さい方が柔らかく、好ましくは４０以下、さらに好ましくは３７〜４０Ｈｓの範囲が良い。
【００２７】
本発明によれば、ケーシングとしてゴム純度の高いゴムを使用することで、より大きい伸縮性を得ることができる。
【００２８】
請求項２記載の本発明は、回転軸はパドル形状の翼とスクリュー形状の翼を含めてゴム製ケーシングの底部に位置させ、Ｕ字トラフは回転軸上方に空間を有することを要旨とするものである。
【００２９】
請求項２記載の本発明によれば、Ｕ字トラフは回転軸上方に空間を有する分だけゴム製ケーシングが回転軸上方に広がって存し、大きくなり、伸び代の大きなものとなる。これにより、作業終了後の洗浄作業をする際に、すでに団粒化処理された団粒化物や再生骨材等をホッパーに投入して作動することで、付着物を排出することができるので、少量の水で洗浄が可能になり、通常の水洗浄やケレン作業等の作業に比べて容易になり節約もできる。
【００３０】
請求項３記載の本発明は、助材添加フィーダーを付設することを要旨とするものである。
【００３１】
請求項３記載の本発明によれば、団粒化剤のバインダー能を高めるための助材、余剰生コンの場合は、細粒分量以下の粒度構成を考量した砂分、高炉スラグ、フラアッシュ、生コンスラッジ、工業用鉱物の微粒分や砕石粉、乾燥・焼却製紙スラッジ粉末等から選ばれる粉体状あるいは顆粒状に加工されたもの、または工業用の消石灰、生石灰、炭酸カルシウム、セメント、石膏など、浚渫土等の泥状土の場合にはセメント系固化材、生石灰、石膏から選ばれるもの、あるいはこれらが混合されているものを団粒化剤添加装置と連動させて添加することができる。
【００３２】
また、余剰生コン等の供給量に見合う添加量の設定可能な添加装置を連動するようにすれば、使用材料のランニングコストに配慮できる。
【発明の効果】
【００３３】
以上述べたように本発明の連続式団粒化撹拌装置は、即時に流動化から塑性化状に変化させて団粒化し、その処理物のハンドリングを改善するための手法として、アジテータ搭載の生コン車を利用する方法ではなく、流動化している余剰生コンを運搬している生コン車搭載のアジテータから、排出させつつ即時に塑性状態に変化させるための凝集作用の優れた薬剤を添加して、塑性化させつつ、撹拌過程で空気を巻き込ませて団粒化させ、団粒化により生コン中にある骨材が分離しやすくなる状態にするものである。
【００３４】
（１）連続性があるので、余剰生コン搭載のアジテータ車数が多くても連続作業になり、生コン工場だけでなく、中間処理等で余剰生コンの処理する場合に適している。バッチ作業は単作業になるのでこうした連続作業には不向きである。
（２）装置の生コン定量フィーダーの容量を大きくすることで、数台のアジテータ搭載の余剰生コンを同時に処理することが可能になる。
（３）前記における制御を自動化することで余剰生コンを集約化して、無人化に近い状態で稼働することが可能になる。
（４）連続作業になるため、排出された団粒化物の処理作業も容易になる。
【００３５】
本発明の連続式団粒化撹拌装置を用いることで、次のような利点が得られる。
（１）余剰生コンを処理する場合においては、団粒化することで流動性が失われるため、バックフォウ等のショベルでの積み込み、ダンプトラックによる運搬、ベルトコンベヤの移送が即時に行える。
（２）生コン工場等で余剰生コンを希釈・分級して骨材を回収する方法から、一部でも団粒化技術を応用してＲＣ（再生路盤材）の製造に利用することで、スラリー分の処理量の削減により、水処理・脱水処理設備の小規模化が可能になる。また、ＲＣの販売による利益も見込める。
（３）余剰生コンを硬化させコンクリート化した状態で、破砕処理を施し、分級して骨材を採集するような方法においては、本技術を応用して余剰生コンを団粒化後に固化することで、破壊エネルギー量を抑えることが可能になり破砕作業の簡素化と設備の小規模化が可能になる。
（４）さらに、固まるまでの時間を待たずに即時に分級することも可能になる。これにより、破砕作業工程は省略される。
（５）余剰生コンを路盤材等に利用するような場合においては、硬化後に破砕するような作業をせずに団粒化した余剰な生コンを解すだけで利用可能になる。
【発明を実施するための形態】
【００３６】
以下、図面について本発明の実施の形態を詳細に説明する。図１は本発明の連続式団粒化撹拌装置の第１実施形態を示す側面図、図２は同上平面図、図３は同上正面図で、本発明は余剰生コンに団粒化剤を添加し、撹拌して空気間隙量を増大化させることにより団粒化状態の余剰生コンを得るものとして、撹拌装置４を主体とするものである。
【００３７】
撹拌装置４は回転軸１に撹拌用としてパドル形状の翼２と、送り用としてスクリュー形状の翼３を装備して、投入する余剰生コンや泥状土と高分子団粒化剤を、攪拌し、排出する団粒化装置である。
【００３８】
パドル形状の翼２は（例えば４枚羽根や２枚羽根）は、先端部分が拡径する櫂形状で、主として撹拌を行い、スクリュー形状の翼３は主として送込みもしくは排出を行うことを役割とするが、図１４、図１５にも示すようにパドル形状の翼２の角度・位置は、連続的に投入されてくる余剰生コンの詰まりの要因になるため、これらを配慮した形状とされ、推進力を持たせるために約４５度の傾きを持たせる。
【００３９】
なお、スクリュー形状の翼３の傾きは約６０°である。
【００４０】
また、詰まり現象と撹拌時間の短縮から、回転軸１の回転速度は毎分１００ｒｐｍ以上で回転させる。好ましくは、１３０min-1〜１８０min-1である。
【００４１】
回転軸１の軸長は、１，２００mm以上、２，８００mm以下のものとする。
【００４２】
回転軸１はケーシングに収められ、攪拌装置４のケーシング径はあまり大きくならないようにされ、例えば、一軸式連続撹拌装置タイプの場合で５５０mm以内とし、その上部に駆動用のモータ１１が設置され、スプロケット１７（モータ側）、スプロケット１８（軸側）でチェーン（図示せず）で連結される。図中１６は回転軸１の軸受である。
【００４３】
前記ケーシングであるＵ字トラフ１２は蓋や前後壁は鋼製でもよいがＵ字形を描く胴体本体をゴム製とした。
【００４４】
Ｕ字トラフ１２によるゴム製ケーシングの厚さは９mm以上で、ケーシング材として使用するゴムの天然ゴム比率は５０％以上、好ましくは９０％以上であり、ＪＩＳ  Ｋ  ６２５３におけるゴム硬度Ａ５０以下、旧ＪＩＳ  Ｋ６３０１におけるゴム硬度５０ＨＳ以下のものを使用する。ゴム硬度は好ましくは４０以下、さらに好ましくは３７〜４０Ｈｓの範囲が良い。
【００４５】
ゴムケーシングの仕様として、厚さは９mm以上とし、複数のゴム板を接着して加工しても良い。
【００４６】
図８、図９に示すように、前記回転軸１はパドル形状の翼２とスクリュー形状の翼３を含めてゴム製ケーシングの底部に位置させ、Ｕ字トラフ１２は回転軸１の上方に空間ａを有するように拡径するものとした。
【００４７】
図１７はこれらＵ字トラフ１２と回転軸１の関係を示すもので、ｂはパドル、スクリュー径、ｃはケーシング周長であり、ｂはｃに近接しており、前記空間ａを形成する回転軸１の上方のＵ字トラフ１２の回転軸１までの深さｄは前記パドル、スクリュー径ｂの半分程度である。
【００４８】
図中１３は左右上部の外側に位置する鋼製の枠板であり、その下端はパドル形状の翼２やスクリュー形状の翼３の上部にラップする程度であり、ゴム製ケーシングを形成するゴム板は内面全部を覆い、ゴム板と鋼製の枠板１３の接続部分を内部側にして、ボルト止めしているので、ゴム製ケーシングがこの鋼製の枠板１３に阻害されることなく、自由に伸びる伸び代を確保でき、内部の凹凸がないので内部断面が大きくても付着物の清掃が容易に行えるものとした。
【００４９】
図中１４は撹拌装置４の投入口、１５は排出口であるが、図６の実施形態では回転軸１の中心から投入口１４側付近でパドル形状の翼２をならべ、排出口１５側はスクリュー形状の翼３となる。このパドル形状の翼２とスクリュー形状の翼３に変わる部分の中間部はパドル形状の翼２とスクリュー形状の翼３が重合されて装備されている。また、パドル形状の翼２とスクリュー形状の翼３を交互に設置しても良い。
【００５０】
図１０〜図１３は撹拌装置４の変形パターンを示すものであり、例えば図１０のようにパドル形状の翼２とスクリュー形状の翼３を交互に設置することもできる。
【００５１】
さらに、図１１ではパドル形状の翼２によるパドル撹拌部分を２カ所設けて、その間をスクリュー形状の翼３としている。これらは、撹拌装置４の機内長によっても異なるが、前記のようにパドル形状の翼２の推進角度φが４５°であるが、撹拌物をせん断しつつ、団粒化剤と混合・撹拌させる構造で、推進（送り）速度が低下して滞留により、供給物の閉塞を防止するための構造である。これらは、撹拌対象物の団粒化性状と供給量、撹拌内空容積によって異なる。
【００５２】
図１２はスクリュー形状の翼３の傾きを回転軸１の前半と後半とで逆向きとし、前半のスクリュー形状の翼３を送り込用とし、後半のスクリュー形状の翼３を排出用とした。
【００５３】
図１３は回転軸１の前半のスクリュー形状の翼３′はリボンスクリュー形状のものとし、後半のスクリュー形状の翼３は通常のスクリュー形状のものとした。
【００５４】
これらのパターンを下記表１に示す。
【表１】
0006310957.tif 000002
【００５５】
図１、図２中、１９はベルトコンベヤによる排出コンベヤ、５はホッパー２０を有し、スクリュー２１を内蔵した定量供給装置、９は団粒化剤量の可変添加可能な団粒化剤添加装置で、団粒化剤タンク２２から配管２４によりポンプ２３を介して事前にエマルジョン化させた高分子団粒化剤を添加する。
【００５６】
団粒化剤のエマルジョン化は添加量の管理を容易とし、これにより撹拌時間を短いものとすることができ、作業効率を上げることができるが、エマルジョン加工した団粒化剤を使用しないで、粉体状の凝集剤系の団粒化剤あるいはＳＡＰ（高吸水性樹脂）およびこれらに無機化合物が混合されたものを団粒化剤として使用する場合の添加装置は、可変速式のスクリューフィ−ダー、リボンスクリュー、ベルトフィーダーの何れかを用いて添加することも出来る。
【００５７】
前記定量供給装置５のケーシングのケーシング材に使用する材料も天然ゴムが５０％の以上のゴム製ケーシングとした方がゴムの張力を利用して、異物混入や骨材の大きい余剰生コンに対応可能になる。好ましくはケーシングの材質のゴム比率は９０％以上のものが良く、ゴムケーシングの外側に別途異なるゴムを張り合わせても良い。ゴムケーシングの仕様として、厚さは９mm以上とする。
【００５８】
図中２５は枠フレームのハウジングであり、前記撹拌装置４や定量供給装置５、排出コンベヤ１９はこのハウジング２５で支承して組合せ、また、助材添加フィーダー・ホッパー７をこのハウジング２５で支承して付設する。
【００５９】
図中８は撹拌装置４において前記定量供給装置５、団粒化剤添加装置９、助材添加フィーダー・ホッパー７との連動と動作の設定を行う制御盤で、これら撹拌装置４、定量供給装置５、団粒化剤添加装置９、助材添加フィーダー・ホッパー７は連動制御が可能なものである。
【００６０】
次に使用法について説明する。図１８は動作フロー、設定フローを示すもので、作動前の準備操作として、余剰生コンに対する団粒化剤および助材の単位添加量を設定する。これらは、図中の助材添加フィーダー・ホッパー７、団粒化剤添加装置９のそれぞれのキャリブレーションデータ（添加量と作動状態に係る性能テスト結果）より設定する。
【００６１】
本発明で使用する団粒化剤はアニオン性ポリアクリルアミド系（Ａ−ＰＡＭ）を主成分とした高分子団粒化剤が好適である。ここで主成分としたとはエマルジョン化したものを使用するもので、エマルジョン化には乳化剤を事前に添加されているので、純粋にＡ−ＰＡＭ単味ではないという意味である。
【００６２】
本発明装置は、余剰生コンの団粒化のメカニズムが使用する団粒化剤の特性から異なるので、あらゆる団粒化剤に対応できるように計画している。団粒化剤の種類によっては、助材が必要になる場合もある。
【００６３】
助材に関しては、余剰生コンの場合は、細粒分量以下の粒度構成を考量した砂分、高炉スラグ、フラアッシュ、生コンスラッジ、工業用鉱物の微粒分や砕石粉、乾燥・焼却製紙スラッジ粉末等から選ばれる粉体状あるいは顆粒状に加工されたもの、または工業用の消石灰、生石灰、炭酸カルシウム、セメント、石膏が対応可能である。
【００６４】
本発明装置は、団粒化剤が凝集作用を示す高分子剤であり、その高分子の重量平均分子が１０００万以上ある場合のもとを使用した場合や団粒化剤がＳＡＰ等を主成分としたものと無機物を用いる場合であってエマルジョン化されたもと顆粒状になっているものどちらの場合においても、添加装置の交換だけで対応できるようにした。
【００６５】
図１８の設定フローにも示すように、
１）予め、余剰生コンの性状から添加する団粒化剤の単位添加量（kg/m3）を設定することで、余剰生コンの供給量に見合う団粒化吐出量が決定する。余剰生コンの性状とは、生コンの流動性の状態で、例えば、コンクリート試験のスランプ値や水分量を目安とする。一般にコンクリート技術者の場合、生コンを目視して大凡の判断ができる。
【００６６】
２）この流動性あるいは、水分状態等の様子から、団粒化剤だけでの処理が可能であるかの有無が判断できる。この判断で助材が必要であれば、助材の単位添加量を設定する。
【００６７】
３）また、団粒化処理後の用途や工程、例えば、処理後に搬送する経時的な条件、処理後に分級して再生骨材や再生路盤材等を製造する際の製造時期等の条件から、経時的要素と団粒化剤使用量等の相関性から経済的判断が決められる。
上記の１）〜３）により、団粒化剤および助材の添加量を設定した。
【００６８】
図１８の動作フローにも示すように、通常の場合、余剰生コンは現場から生コン車で持ち帰るので、生コン車６のアジテータから定量供給装置５に投入する。
【００６９】
生コン車搭載のアジテータからの搬出量を安定化することは困難であるため、予め設定した余剰生コンの単位供給量見合う搬送速度で定量供給装置５を作動させる。
【００７０】
予め助材添加の有無は決めておく必要がある。助材の添加を設定した場合は定量供給装置５内または撹拌装置４の投入口１４付近に助材が添加される。ただし、助材投入位置は、団粒化剤添加装置９から送られた団粒化剤の吐出位置より後方であることが望ましい。
【００７１】
余剰生コンまたは、助材が添加された余剰生コンの供給量は安定しており、撹拌装置４内に送られ、予め設定された単位添加量で団粒化剤と混合・撹拌される。
【００７２】
撹拌装置４の回転軸１に取り付けられた撹拌翼は、投入口から中間部付近まではパドル式の撹拌翼になっており、撹拌時に空気が巻き込みやすくなっている。中間付近から排出側までは、撹拌部分の滞留防止からスクリュー構造になっている。
【００７３】
この装置から排出された余剰生コンの状態は、１９はベルトコンベヤによる排出コンベヤ１９で搬送できる状態、つまり流動化状態ではなく、団粒化状態となっている。
【００７４】
なお、撹拌中に異物が混入した場合、通常より大きい骨材がある場合においては撹拌時の負荷が大きくなり、撹拌装置自体の故障、破壊の要因になりやすいが、図８や図９に示すようにゴムケーシングにより伸び代が確保でき、ケーシング内の団粒化物の付着や異物等の挟み込みの対応が緩和できる。
【００７５】
特に、パドル形状の翼２ではスクリュー形状の翼３に比べて団粒化の移動を遅らせているようにしているので、このようなゴムケーシングにより伸び代が確保できることはケーシングへの団粒化物の付着や異物等の挟み込みの防止効果が大きい。
【００７６】
図４、図５は、他の実施形態として生コン車搭載のアジテータから直接投入しない例である。
【００７７】
生コン車に搭載されている余剰生コンの性状は、配達する生コンの品質によって異なるため、余剰生コンの性状も異なる。また、現場等で加水されたものを持ち戻る場合もある。
【００７８】
したがって、管理上、このような余剰生コンの性状を安定化させるためには、一旦、タンクまたはピット２７にこれらの性状の異なる余剰生コンを混合した後にポンプ２８で定量供給装置５に輸送する方法とタンクまたはピット２７からショベル２６等によって定量供給装置５に供給する。
【００７９】
以上の実施形態は余剰生コンの団粒化処理の場合について説明したが、余剰生コン以外に本装置を浚渫土等の泥状土に使用しても良い。
【００８０】
泥状土や浚渫土においては、余剰生コンに比べ、土中の細粒分が多く含有している場合が多い事、含水率は生コンに比べて大きいことが多いことから、その際に使用する団粒化剤としては、高分子系凝集系の団粒化剤を主剤としているものが好ましく、ＳＡＰ（高吸水樹脂）およびこれらに無機添加物が混合されたものを用いる事は好ましくない。また、セメント等の硬化・固化を促進するようなものが混合されていないため、固化促進を行うためには、助材として、セメントおよびセメント系固化材、生石灰、石膏から選ばれるもの、あるいはこれらが混合されているものを使用する。
【図面の簡単な説明】
【００８１】
【図１】本発明の連続式団粒化撹拌装置の第１実施形態を示す側面図である。
【図２】本発明の連続式団粒化撹拌装置の第１実施形態を示す平面図である。
【図３】本発明の連続式団粒化撹拌装置の第１実施形態を示す正面図である。
【図４】本発明の連続式団粒化撹拌装置の第２実施形態を示す側面図である。
【図５】本発明の連続式団粒化撹拌装置の第２実施形態を示す正面図である。
【図６】本発明の連続式団粒化撹拌装置の第１パターンを示す縦断側面図である。
【図７】本発明の連続式団粒化撹拌装置の第１パターンを示す縦断正面図である。
【図８】本発明の連続式団粒化撹拌装置の側面図的説明図である。
【図９】本発明の連続式団粒化撹拌装置の正面図的説明図である。
【図１０】本発明の連続式団粒化撹拌装置の第２パターンを示す縦断側面図である。
【図１１】本発明の連続式団粒化撹拌装置の第３パターンを示す縦断側面図である。
【図１２】本発明の連続式団粒化撹拌装置の第４パターンを示す縦断側面図である。
【図１３】本発明の連続式団粒化撹拌装置の第５パターンを示す縦断側面図である。
【図１４】撹拌装置の側面図である。
【図１５】撹拌装置の平面図である。
【図１６】撹拌装置の正面図である。
【図１７】撹拌装置の説明図である。
【図１８】動作フロー、設定フローを示す流図である。
【図１９】生コン車搭載のアジテータの内部概念図である。
【図２０】生コン車搭載のアジテータの流動化状態を示す説明図である。
【符号の説明】
【００８２】
１…回転軸                ２…パドル形状の翼
３、３′…スクリュー形状の翼
４…撹拌装置              ５…定量供給装置
６…生コン車              ７…助材添加フィーダー・ホッパー
８…制御盤                ９…団粒化剤添加装置
１１…モータ              １２…Ｕ字トラフ
１３…鋼製の枠板          １４…投入口
１５…排出口              １６…軸受
１７，１８…スプロケット  １９…排出コンベヤ
２０…ホッパー            ２１…スクリュー
２２…団粒化剤タンク      ２３…ポンプ
２４…配管                ２５…ハウジング
２６…ショベル            ２７…ピット
２８…ポンプ
【図１】
0006310957.tif 000003
【図２】
0006310957.tif 000004
【図３】
0006310957.tif 000005
【図４】
0006310957.tif 000006
【図５】
0006310957.tif 000007
【図６】
0006310957.tif 000008
【図７】
0006310957.tif 000009
【図８】
0006310957.tif 000010
【図９】
0006310957.tif 000011
【図１０】
0006310957.tif 000012
【図１１】
0006310957.tif 000013
【図１２】
0006310957.tif 000014
【図１３】
0006310957.tif 000015
【図１４】
0006310957.tif 000016
【図１５】
0006310957.tif 000017
【図１６】
0006310957.tif 000018
【図１７】
0006310957.tif 000019
【図１８】
0006310957.tif 000020
【図１９】
0006310957.tif 000021
【図２０】
0006310957.tif 000022